(57)【要約】【課題】  ブラジャー、ボディースーツ、ブラスリップ、ブラキャミソール、水着など、乳房カップを有する肩吊り衣料は乳房側と背側から肩紐で吊られているものが女性用衣料用として広く普及している。ところで、かかる女性用衣料はバストを紐を介して肩を軸として乳房側から吊し背側にかけ背側で支える構成となっている。このため肩にバストの重みが掛かり肩こりや姿勢が悪くなる等の問題がある。これらの問題を解決する。【解決手段】  肩の形状に定めた肩吊り部の及び肩吊り器具の主に背側にバストを吊り下げる事によりバストの重みを背中に掛け、肩の負荷を軽減すると共に、肩を後方に倒す姿勢とする事により姿勢を正すものである。【選択図】図１
2005264403.tif 000002
【特許請求の範囲】
【請求項１】
一端側が乳房カップを構成し、他端が背面側を構成した肩吊り衣料本体と、肩に吊す肩吊り部を有する肩吊り衣料において、前記肩吊り部が略逆Ｕの字型で少なくとも体温付近において定まった形状を保ち、肩部に掛ける構造を有した乳房カップを有する肩吊り付き衣料。
【請求項２】
請求項１における肩吊り衣料の肩吊り部において両肩の肩吊り部の端を連結または、一体化した連結肩吊り部を設けた乳房カップを有する肩吊り付き衣料。
【請求項３】
請求項１から請求項２における肩吊り衣料において少なくとも背中側端から乳房側端の間と肩吊り部、または連結肩吊り部の背側端部を背紐または側紐等の紐により連結した乳房カップを有する肩吊り付き衣料。
【請求項４】
請求項１から請求項３における肩吊り衣料において、肩吊り部または、連結肩吊り部と紐等で連結した肩吊り衣料本体と取り付け、取り外しが出来る連結部を設けた乳房カップを有する肩吊り付き衣料用の、肩吊り部を除く肩吊り衣料本体。
【請求項５】
請求項１から請求項３における肩吊り衣料において、肩吊り部または、連結肩吊り部と紐等で連結した肩吊り衣料本体と取り付け、取り外しが出来る連結部を設けた乳房カップを有する肩吊り付き衣料用の、肩吊り器具。
【請求項６】
請求項１から請求項５において肩吊り衣料がブラジャー、ボディースーツ、ブラスリップ、ブラキャミソール、水着としたもの。
【発明の詳細な説明】
【技術分野】
【０００１】
本発明は、乳房カップを有する肩吊り衣料及び肩吊り衣料及び肩吊り器具に関する。特にバストアップ目的による引き上げやバストの重量を支える肩の負担を軽減し、バストの重み等による前屈みになる姿勢を改善した肩吊り部に関する。
【背景技術】
【０００２】
従来より、ブラジャー、ボディースーツ、ブラスリップ、ブラキャミソール、水着など、乳房カップを有する肩吊り衣料は乳房側と背側から肩紐で吊られているものが女性用衣料用として広く普及している。
【０００３】
ところで、かかる女性用衣料は、バストを紐を介して肩を軸とし背側で支える構成となっている。このため肩にバストの重みが掛かり肩こり発生や姿勢が悪くなる等の問題がある。特に最近の日本では豊満なバストの女性が増えると共にバルトアップを意識し持ち上げる傾向に有りバストの負荷が肩に大きく掛かる傾向にあると考えられる。また、最近の傾向としてブラジャー等下着の紐を露出する傾向にあり、年輩者等においては風紀上等からも敬遠もする声もある。
【０００４】
【特許文献１】特開２００４−６８２０７号公報においてはバストの下垂れを保持シートによるアップをしている。
【特許文献２】特開２００４−５２１２３号公報においては縫着効果で落ちた肩を持ち上げる効果をしている。
【特許文献３】特開２００３−２５０９１６号公報においては永久磁石の小片で肩こり緩和をしている。
【特許文献４】特開２００２−３７１４０４号公報においては肩紐の大きさにより着崩れや乳房造形性の保持等をしている。
【特許文献５】特開２００２−２４９９１１号公報においてはテープの滑り止めによりバンドのズレ等を防止している。
【特許文献６】特開２００２−２０９０４号公報においては肩紐に磁性体を設けた肩紐カバーを設け肩こりの防止と緩和をしている。
【特許文献７】特開平９−７５３８３号公報においては被冠した左右の一対の肩パット本体部と人体の背中にて交差させた人体下部に着用したパンツ等ボトムに係止し姿勢を強制するものである。
【特許文献８】特開平８−２２６００３号公報においてはブラジャーのストラップ部を幅広とする等の上、永久磁石粒を取り付けゴム紐症候群の弊害の予防等をするものである。上記の様に本発明による定まった形状の肩吊り部を用い、背紐等により吊り、肩こり軽減、姿勢の改善をする文献は見つからなかった。
【発明の開示】
【発明が解決しようとする課題】
【０００５】
従来よりブラジャー、ボディースーツ、ブラスリップ、ブラキャミソール、水着など、乳房カップを有する肩吊り衣料は乳房側と背側から肩紐で吊られているものが女性用衣料用として広く普及しているいるが、これらの女性用衣料は図２に示すようにバストの荷重が主に背中側の吊り支点（４）付近を支点にし肩（１９）を経由しバスト引き方向（１０）の方向に働く。これらの事から肩紐により肩を前下方向に引き下げる形式となっている。また、図１２は図２の吊り支点（４）、肩（１９）吊り紐（５ａ）バスト荷重（２５）の関係を肩と吊り紐の摩擦抵抗等を無視し模式的に示し、肩（１９）を動滑車（２３）と置き換えたものである。ここで動滑車の支点ささえ荷重（２４）はバスト荷重の２倍の荷重を必要とする事になる。すなわち、模式では肩の中心はバスト荷重の２倍の荷重でささえ無ければならないことになる。
【０００６】
このため肩は常に前下方向に引き下げられ事となり肩こりや姿勢を悪くする原因となっている。また、前屈み等を行った際肩紐の肩位置がずれ直立状態に戻った時に正常位置に戻らない事が有り、肩位置を手等によりずらし修正する必要性も発生していた。
【０００７】
また、これらの女性用衣料は肩紐が本体とほぼ同じ素材で構成され、外出着を着た際にも肩位置から下着であるこれらの女性用衣料品の肩紐が露出する事が有り、風紀上の問題も発生しかねなかった。
【課題を解決するための手段】
【０００８】
請求項１の本発明は一端側が乳房カップを構成し、他端が背面側を構成した肩吊り衣料本体と、肩に吊す肩吊り部を有する肩吊り衣料において、前記肩吊り部が略逆Ｕの字型で少なくとも体温付近において定まった形状を保ち、肩部に掛ける構造を有した乳房カップを有する肩吊り付き衣料である。
【０００９】
請求項２の本発明は、請求項１における肩吊り衣料の肩吊り部において両肩の肩吊り部の端を連結または、一体化した連結肩吊り部を設けた乳房カップを有する肩吊り付き衣料である。
【００１０】
請求項３の本発明は、請求項１から請求項２における肩吊り衣料において少なくとも背中側端から乳房側端の間と肩吊り部、または連結肩吊り部の背側端部を背紐または側紐等の紐により連結した乳房カップを有する肩吊り付き衣料である。
【００１１】
請求項４の本発明は、請求項１から請求項３における肩吊り衣料において、肩吊り部または、連結肩吊り部と紐等で連結した肩吊り衣料本体と取り付け、取り外しが出来る連結部を設けた乳房カップを有する肩吊り付き衣料用の、肩吊り部を除く肩吊り衣料本体である。
【００１２】
請求項５の本発明は、請求項１から請求項３における肩吊り衣料において、肩吊り部または、連結肩吊り部と紐等で連結した肩吊り衣料本体と取り付け、取り外しが出来る連結部を設けた乳房カップを有する肩吊り付き衣料用の、肩吊り器具である。
【００１３】
請求項６の本発明は、請求項１から請求項５において肩吊り衣料がブラジャー、ボディースーツ、ブラスリップ、ブラキャミソール、水着としたものである。
【発明の効果】
【００１４】
本発明は前述の構成のようにブラジャー、ボディースーツ、ブラスリップ、ブラキャミソール、水着など、乳房カップを有する肩吊り女性用衣料に関するもので、主に肩の形状に定めた肩吊り部の背側にバストを吊り下げる事によりバストの重みを背中に掛け、肩の負荷を軽減すると共に、肩を後方に倒す姿勢とする事により姿勢を正そうとするものである。
【００１５】
また、背側からバストを持ち上げる側紐によりバストアップを増進させるものである。
【００１６】
また、前屈時にも、背側からバストが引き上げられているため、前が開いて、見えやすくなる事を防止できる。また、開放的な衣類で外出時にこれらの衣料の肩紐に当たる部分が肩吊り部に該当し、肩吊り部材と衣料本体と異なる素材、仕上げとする事により下着の露出感が軽減し風紀上の問題も軽減する。
【００１７】
また、前紐の併用をした場合にも肩の形状に定めた肩吊り部により肩位置が移動しないことにより前屈後の紐位置の戻し作業が無くなる。また、背紐や前紐を伸縮性のある材料とし、伸縮強度の比率を変えたりする事により、背側と乳房側の引き上げ割合の比率を調整する事が可能であり、バストサイズや体格等による変化に応じて調節が容易である。
【００１８】
このように近年発達したバストをバストアップし美しく見せる事と併せて、肩こりを軽減し、姿勢を自然に正す事を補助する極めて有用な発明と考える。以下、本発明のブラジャー、ボディースーツ、ブラスリップ、ブラキャミソール、水着など、乳房カップを有する肩吊り衣料について実施例を図面により具体的に説明する。
【実施例１】
【００１９】
図１は本発明の肩吊り衣料の実施例の人体装着時を示し、肩吊り衣料（１）が背紐（５）と側紐（６）を介し、背接続具（８）で接続させた肩吊り部（３）を示し、バストの荷重が肩吊り部（３）の吊り支点（４）付近を支点にカップ部（７）方向にバスト引き方向（１０）に引く力が働く事を示す。図１３は図１の力関係の一部を模式的に示し、肩（１９）を動滑車（２３）に置き換えたものでバスト荷重（２５）により吊り支点（４）を中心に引き上げ荷重（２６）が働く事を示す。すなわち肩（１９）を後ろ上方向に回転する力の働く事を示す。また、吊り支点（４）が完全に動滑車（２３）上に固定された状態とした場合、すなわち動滑車が回転しない場合に動滑車の支点支え荷重（２４）はバスト荷重（２５）と同じであると言える。これらのことから、肩吊り部（３）がバスト荷重の回転に耐え、肩（１９）等に密着、固定される事によりバスト荷重の肩への荷重の軽減がされると言える。
【００２０】
図３は本発明の肩吊り衣料の実施例を示し、吊り衣料（１）がカップ部（７）とサイド部（１１）を組合せ構成され、サイド部（１１）に背紐（５）が設けられ、カップ部（７）から側紐（６）が設けられ、背紐（５）は肩吊り部（３）の背側の一端に接続されていることを示す。また、後引き紐（１３ａ）が背紐（５）の横開きを防止している。
【実施例２】
【００２１】
図４は本発明の肩吊り衣料の他の実施例を示し、吊り衣料（１）がカップ部（７）とサイド部（１１）を組合せ構成され、サイド部（１１）に背紐（５）が設けられ、カップ部から前紐（１２）が設けられ、背紐（５）は肩吊り部（３）の背側の一端に接続され、前紐（１２）は肩吊り部（３）の前側に接続されていることを示す。
【実施例３】
【００２２】
図５は本発明の他の実施例を示し、肩吊り部が衣料本体と取り外せる肩吊り器具（３ｂ）周辺を示し肩吊り器具（３ｂ）には止め穴（１７）が空き、肩吊り衣料本体（１ａ）には止め掛け（１８）が取り付けられ、留め具を構成するものである事を示し、肩吊り衣料本体（１ａ）からは前後に前紐（１２）と背紐（５）が取り付けられる事を示す。
【実施例４】
【００２３】
図６は本発明の他の実施例を示し、肩吊り部が衣料本体と取り外せる肩吊り器具（３ｂ）周辺を示し肩吊り器具（３ｂ）には止め穴（１７）が空き、肩吊り衣料本体（１ａ）には止め掛け（１８）が取り付けられ、留め具を構成するものである事を示し、肩吊り衣料本体（１ａ）からは背側だけに背紐（５）が取り付けられる事を示す。
【００２４】
図５、図６で示す留め具の方式はスナップボタン、マジックテープ、クリップ、紐結び等でも良く係止出来る物であれば良く限定するものでは無い。肩吊り器具（３ｂ）はエラストマー等の成型品や被覆した金属、プラスチック線等で構成し、成形後全体を布地や、シリコンゴム等で覆っても良い。
【実施例５】
【００２５】
図７は本発明の他の実施例を示し、人体（２）が肩吊り衣料（１）を装着した状態を示し、肩吊り部（３ｃ）が線状体を折り曲げで形成されたものを示し前側に飾り具（１５）を取り付けた状態を示す。
【実施例６】
【００２６】
図８は本発明の他の実施例を示し、人体（２）が肩吊り衣料（１）を装着し、ドレス（１６）をその上に着た状態を示し、肩吊り部（３ａ）の外装がドレスの布地と同一、または、同じ様な布地で構成し前側に飾り具（１５）を取り付けた状態を示す。図示しないがここでの肩吊り部（３ｂ）はドレスの背側の肩吊りを同時に行っても良いものである。また、図示しないが肩吊り部（３ａ）は取り外しが出来る肩吊り器具でも良く、その際、肩吊り衣料と、ドレスの背紐の両方吊り下げる構造、構成でも良い。
【実施例７】
【００２７】
図９は本発明の他の実施例を示し、人体（２）に肩吊り衣料（１）を装着した状態の背側から見た図を示し、左の肩（１９）の背紐（５）が右のサイド部（１１）に接続されたバッククロスタイプを示す。肩吊り器具（３ｄ）は肩の上に載り肩より横サイドに飛び出し、肩パットの役割もかねるものを示す。また、図示しないがここではフロントホックが望ましい。
【００２８】
図１０は本発明の他の実施例を示しに肩吊り衣料（１）は両方の肩吊り部（３）を一体化し形成した連結肩吊り部（２１）の中央付近と乳房カップ（７）側端とを側紐（６）で連結したものである。肩吊り部（３）の両方の他の一端には飾り具（１５）が付けられている状態を示す。ここで図示しないが飾り具（１５）は肩吊り部（３）の胸側の密着性を高める滑り止め効果を兼ねたもので有り、飾り具（１５）先端付近が鎖骨の下に掛かる事により肩吊り部（３）のバスト荷重による回転を受けるものである。また、ここでの肩吊り部（３）、連結肩吊り部（２１）、飾り具（１５）の一部は金属製の線材を折り曲げ一体で各部を構成し表面は柔軟性のある被覆を付けた例を示す。また、飾り具（１５）は肩吊り部（３）と取り外し、及び交換が可能としても良いものである。
【００２９】
図１１は本発明の他の実施例を示しに肩吊り衣料（１）は肩吊り衣料本体（１ａ）と肩吊り器具（３ｄ）で構成され、両方の肩吊り部（３）を一体化し形成した連結肩吊り部（２１）の中央付近から連結紐（２２）が設けられ各連結紐（２２）の端が乳房カップ（７）側端に付いた側紐（６）と連結部（２０）で連結したものを示す。ここでの連結部（２０）はマジックテープでの連結を示すが、スナップボタン、ホック、クリップ等でもかまわないものである。両方の肩吊り部（３）の他端はお互いに連結され、連結飾り具（１５ａ）を構成している。ここでの肩吊り部（３）、連結肩吊り部（２１）、連結飾り具（１５ａ）は例えば金属製の一体線材を折り曲げ各部を構成し表面は柔軟性のある被覆で仕上げた状態を示し、金属部にチタン合金等を使用したり、メッキを施したりしても良く、表面に布等を被覆したものでも良い。
【００３０】
前記記載の各項目において、肩吊り部（３）、連結肩吊り部（２１）は内部にステンレス線や硬質プラスチック、ＮｉＴｉ合金の形状記憶合金等を、布地や、皮、合成紙、ゴム等に織り込んだり、縫いあわせたり、貼り込む等で封入し、肩の形に定めた形状としても良い。また、肩吊り部（３）、連結肩吊り部（２１）はエラストマー、シリコンゴムや、木製、皮、ガラス等により形成しても良く、これらの内部に繊維を封入し強化したり、これらの内部に磁性体や鉱物等を封入、貼付、人体に対する磁気効果や、イオン効果、抗菌効果等を活用したり、美的効果をねらったものでも良いものである。肩吊り部（３）、連結肩吊り部（２１）は対象バストサイズに対する重さに耐えうる荷重にて変形しないものであれば良い。また、例えば布地内部に封入した金属を外力で変形させ肩の形状に調節できるものでも良い。形状記憶合金を使用した場合には体温付近で元の形状に戻り、洗濯時の水温等において変形しやすいものを用いても良い。ただし、一般に水着には不向きである。
【００３１】
肩吊り衣料本体（１ａ）は合成繊維や、天然繊維等の布地や、テープ、リボン、レース等を組み合わせたものなどで構成され、ゴム材や伸縮材を組み合わせたものでもかまわないものである。また、金属やプラスチック等による形状を形成する材料を組み合わせたものでも良い。
【００３２】
背紐（５）、側紐（６）、前紐（１２）、後紐（１３）、連結紐（２２）は合成繊維や、天然繊維等の布地、不織布、テープ、リボン、レース等を組み合わせたものなどで構成され、ゴム材や伸縮材を組み合わせたものでもかまわないものである。また、金属やプラスチック等による形状を形成する材料を組み合わせたものでも良い。
【図面の簡単な説明】
【００３３】
【図１】本発明の実施例の側面からの立体図である。
【図２】従来の肩吊り衣料の立体図である。
【図３】本発明の実施例の立体図である。
【図４】本発明の他の実施例の立体図である。
【図５】本発明の他の実施例の立体図である。
【図６】本発明の他の実施例の立体図である。
【図７】本発明の他の実施例の立体図である。
【図８】本発明の他の実施例の立体図である。
【図９】本発明の他の実施例を示す立体図である。
【図１０】本発明の他の実施例を示す立体図である。
【図１１】本発明の他の実施例を示す立体図である。
【図１２】従来の例を示す模試的平面図である。
【図１３】本発明の実施例の模試的平面図である。
【符号の説明】
【００３４】
１…肩吊り衣料
１ａ…肩吊り衣料本体
２…人体
３…肩吊り部
３ａ…肩吊り部
３ｂ…肩吊り器具
３ｃ…肩吊り部
３ｄ…肩吊り器具
４…吊り支点
５…背紐
５ａ…吊り紐
６…側紐
７…カップ部
８…背接続具
９…腕
１０…バスト引き方向
１１…サイド部
１２…前紐
１３…後紐
１３ａ…後引き紐
１４…後ろ留め金
１５…飾り具
１５ａ…連結飾り具
１６…ドレス
１７…止め穴
１８…止め掛け
１９…肩
２０…連結部
２１…連結肩吊り部
２２…連結紐
２３…動滑車
２４…動滑車の支点ささえ荷重
２５…バスト荷重
２６…引き上げ荷重
２７…動滑車支点
【図１】
2005264403.tif 000003
【図２】
2005264403.tif 000004
【図３】
2005264403.tif 000005
【図４】
2005264403.tif 000006
【図５】
2005264403.tif 000007
【図６】
2005264403.tif 000008
【図７】
2005264403.tif 000009
【図８】
2005264403.tif 000010
【図９】
2005264403.tif 000011
【図１０】
2005264403.tif 000012
【図１１】
2005264403.tif 000013
【図１２】
2005264403.tif 000014
【図１３】
2005264403.tif 000015